(57)【要約】【課題】漏水を低減させることができる階段を提供することを目的としている。【解決手段】階段１は、建物１０の外部に設けられる複数の段板２と、段板２の両側部を支持する１対のササラ桁３と、段板２とササラ桁３との接合部Ｓの下方に設けられ、接合部Ｓから下方に流出した水を受ける水受け部４と、を備えている。そしてさらに、水受け部４の下端部に接続され、水受け部４の下端部から流出した水をササラ桁３の側方に排水する排水部を備えている。【選択図】図３
2019044526.tif 000002
【特許請求の範囲】
【請求項１】
建物に設けられる複数の段板と、
前記段板の両側部を支持する１対の桁板と、
前記段板と前記桁板との接合部の下方に設けられ、該接合部から下方に流出した水を受ける水受け部と、を備えてなる階段。
【請求項２】
前記水受け部の下端部に接続され、前記水受け部の下端部から流出した水を前記桁板の側方に排水する排水部をさらに備えてなる請求項１に記載の階段。
【請求項３】
前記段板は、踏板部と、該踏板部の後端部から下方に延びる蹴込部と、前記踏板部の前端部から上方に延びるとともに、上段側の蹴込部に連結される連結部と、該連結部の上端部から前側上方に傾斜して延びる傾斜部と、を有してなる請求項１又は２に記載の階段。
【発明の詳細な説明】
【技術分野】
【０００１】
本発明は、建物に設けられる階段に関し、特に、漏水を低減させることができる階段に関する。
【背景技術】
【０００２】
従来の階段は、建物に設けられる複数の段板と、段板の両側部を支持する１対の桁板と、を備えている。この種の階段は、風雨等に曝されることから、例えば、段板と桁板との接合部の隙間を閉塞するように、段板の上面にタイル等を敷設したものが知られている（特許文献１参照）。
【先行技術文献】
【特許文献】
【０００３】
【特許文献１】特開２０１０−５９７４４号公報
【発明の概要】
【発明が解決しようとする課題】
【０００４】
しかしながら、上記のような階段は、タイルやタイルの目地等にヒビ等が入った場合、段板と桁板との接合部の隙間に雨水等の水が浸入（漏水）し易くなり、もって、漏水の原因となるという問題があった。
【０００５】
そこで、本発明は、上記問題に鑑み、漏水を低減させることができる階段を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、建物（１０）に設けられる複数の段板（２）と、
前記段板（２）の両側部を支持する１対の桁板（ササラ桁３）と、
前記段板（２）と前記桁板（ササラ桁３）との接合部（Ｓ）の下方に設けられ、該接合部（Ｓ）から下方に流出した水を受ける水受け部（４）と、を備えてなることを特徴としている。
【０００８】
また、請求項２の発明は、上記請求項１の階段において、前記水受け部（４）の下端部（４ａ）に接続され、前記水受け部（４）の下端部（４ａ）から流出した水を前記桁板（ササラ桁３）の側方に排水する排水部（５）をさらに備えてなることを特徴としている。
【０００９】
さらに、請求項３の発明は、上記請求項１又は２の階段において、前記段板（２）は、踏板部（２ａ）と、該踏板部（２ａ）の後端部から下方に延びる蹴込部（２ｂ）と、前記踏板部（２ａ）の前端部から上方に延びるとともに、上段側の蹴込部（２ｂ’）に連結される連結部（２ｃ）と、該連結部（２ｃ）の上端部から前側上方に傾斜して延びる傾斜部（２ｄ）と、を有してなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１の発明によれば、段板（２）と桁板（ササラ桁３）との接合部（Ｓ）の下方に接合部（Ｓ）から流出した水を受ける水受け部（４）を設けているから、段板（２）の上面にタイル（６）を敷設した際、タイル（６）やタイル（６）の目地等にヒビ等が入り、段板（２）と桁板（ササラ桁３）との接合部（Ｓ）の隙間から水が流出したとしても、その水を水受け部（４）によって受けることができる。これにより、段板（２）と桁板（ササラ桁３）との接合部（Ｓ）から流出した水が階下に落下してしまう事態を低減させることができ、もって、漏水を低減させることができる。
【００１２】
また、請求項２の発明によれば、水受け部（４）の下端部（４ａ）に接続され、水受け部（４）の下端部（４ａ）から流出した水を桁板（ササラ桁３）の側方に排水する排水部（５）を設けているから、水受け部（４）にて受けた水が、排水部（５）によって桁板（ササラ桁３）の側方に排水されることとなる。これにより、段板（２）と桁板（ササラ桁３）との接合部（Ｓ）から下方に流出した水を階下に落下させることなく、排水させることができ、もって、漏水をさらに低減させることができる。
【００１３】
さらに、請求項３の発明によれば、段板（２）が、踏板部（２ａ）と、該踏板部（２ａ）の後端部から下方に延びる蹴込部（２ｂ）と、前記踏板部（２ａ）の前端部から上方に延びるとともに、上段側の蹴込部（２ｂ’）に連結される連結部（２ｃ）を有しているから、段板（２）の上面にタイル（６）等を敷設した際、タイル（６）やタイル（６）の目地等にヒビ等が入り、上段側の蹴込部（２ｂ’）と連結部（２ｃ）の連結部分に水が侵入してきたとしても、上方に延びる連結部（２ｃ）によって、階下に水が落下してしまう事態を低減させることができる。
【００１４】
そしてさらに、連結部（２ｃ）の上端部から前側上方に傾斜して延びる傾斜部（２ｄ）を有しているから、毛細管現象により、水が連結部（２ｃ）を伝って、階下に落下してしまう可能性があったとしても、傾斜部（２ｄ）と上段側の蹴込部（２ｂ’）との間の隙間（毛細管半径）が、連結部（２ｃ）と上段側の蹴込部（２ｂ’）との間の隙間（毛細管半径）よりも大きくなることによって、毛細管現象における毛細管半径が大きくなり、もって、液面上昇高さが小さくなるから、水が連結部（２ｃ）を伝って階下に落下してしまう事態を低減させることができる。
【図面の簡単な説明】
【００１５】
【図１】本発明の一実施形態に係る階段を示す平面図である。
【図２】図１のＡ−Ａ線側面図である。
【図３】（ａ）は図１のＢ−Ｂ線断面図、（ｂ）は（ａ）の階段の水受け部を拡大して示した断面図である。
【図４】（ａ）は図１のＣ−Ｃ線断面図、（ｂ）は（ａ）の階段の水受け部及び排水部を拡大して示した断面図である。
【図５】図１のＤ方向から見た水受け部及び排水部を拡大して示した斜視図である。
【図６】図１のＥ−Ｅ線断面図である。
【発明を実施するための形態】
【００１６】
以下、本発明に係る階段の一実施形態を、図面を参照して具体的に説明する。なお、以下の説明において、上下左右の方向を示す場合は、図示正面から見た場合の上下左右をいうものとする。
【００１７】
図１及び図２に示すように、階段１は、建物１０の外部に設けられる金属製の鉄骨階段であって、踊り場８，８’を介して進行方向が逆方向となる折り返し階段である。すなわち、この階段１は、建物１０の外部に設けられる複数（図１及び図２では、７枚又は８枚）の金属板からなる複数の段板２と、段板２の両側部を支持する１対のササラ桁３と、段板２と１対のササラ桁３との接合部Ｓ（図３参照）の下方に設けられ、接合部Ｓから下方に流出した雨水等の水（図３及び図５に示す矢印Ｙ１方向参照）を受ける１対の水受け部４（図３〜図５参照）と、１対の水受け部４の下端部４ａに接続され、１対の水受け部４の下端部４ａから斜め下方に流出した雨水等の水（図４及び図５に示す矢印Ｙ２方向参照）を側端部５ａ（図５参照）から１対のササラ桁３の側方に排水（図５に示す矢印Ｙ３方向参照）する排水部５（図４及び図５参照）と、段板２の上面に敷設されたタイル６（図３，図４，図６参照）と、段板２の下面側を目隠しするアルミ樹脂積層複合板等からなる軒天パネル７（図２〜図４参照）と、複数の段板２の最上段及び上段側の複数の段板２の最下段の折り返し部分に水平に設けられ、１対のササラ桁３の上部及び上段側の１対のササラ桁３の下部を支持するとともに、上面にタイル６が敷設された踊り場８，８’（下段側の踊り場８，上階側の踊り場８’）と、を備えている。
【００１８】
段板２は、図１及び図２に示すように、例えば、複数（図１及び図２では、７枚又は８枚）の溶融亜鉛−アルミニウム−マグネシウム合金めっき鋼板等の高耐食性溶融めっき鋼板等を連結して形成される板状部材である。より詳しく説明すると、この段板２は、図６に示すように、上面が水平となるように配置される踏板部２ａと、踏板部２ａの後端部（図示右側）から垂直方向下側に折れ曲がり下方に延びる蹴込部２ｂと、踏板部２ａの前端部（図示左側）から垂直方向上側に折れ曲がり上方に延びるとともに、後面（図示右側の面）が上段側の蹴込部２ｂ’の前面（図示左側の面）に連結される連結部２ｃと、連結部２ｃの上端部から前側上方（斜め上前方、図示では、左上）に傾斜して延びる傾斜部２ｄと、を有している。
【００１９】
かくして、このように形成される段板２の踏板部２ａの上面には、図３（ａ），図４，図６に示すように、タイル６が接着剤、目地材等により隙間なく敷設固定される。そして、踏板部２ａの下面には、図３（ａ），図４，図６に示すように、支持部材２１がビス２２により下側から連結固定されている。なお、この支持部材２１は、側面がササラ桁３の側部３ａの内側面（段板２側の側面）に固定されたアングル鋼からなるものである。
【００２０】
一方、段板２の連結部２ｃの後面（図６に示す右側の面）は、図６に示すように、上段側の蹴込部２ｂ’の前面（図６に示す左側の面）に接触するように配置され、ビス２３により前側から連結固定される。そして、段板２の傾斜部２ｄは、図６に示すように、連結部２ｃに対する角度が例えば４５度となるように、連結部２ｃの上端部から前側上方に傾斜して延びている。
【００２１】
しかして、踏板部２ａの前端部（図示左側）から垂直方向上側に折れ曲がり上方に延びる連結部２ｃを設けることによって、タイル６やタイル６の目地にヒビ等が入り、雨水等の水が連結部２ｃと上段側の蹴込部２ｂ’との僅かな隙間に侵入してきたとしても、階下に雨水等の水が落下してしまう事態を低減させることができる。
【００２２】
しかしながら、踏板部２ａの前端部（図示左側）から垂直方向上側に折れ曲がり上方に延びる連結部２ｃを設けているだけでは、毛細管現象により、雨水等の水が連結部２ｃを伝って、階下に落下してしまう可能性がある。そこで、連結部２ｃの上端部から前側上方に傾斜して延びる傾斜部２ｄを設けることにより、傾斜部２ｄと上段側の蹴込部２ｂ’との間の隙間（毛細管半径）が、連結部２ｃと上段側の蹴込部２ｂ’との間の隙間（毛細管半径）よりも大きくなることによって、毛細管現象における毛細管半径が大きくなり、もって、液面上昇高さが小さくなるから、雨水等の水が連結部２ｃを伝って、階下に落下してしまう事態を低減させることができる。
【００２３】
ササラ桁３は、図１に示すように、段板２の両側部を支持する１対の溶融亜鉛−アルミニウム−マグネシウム合金めっき鋼板等の高耐食性溶融めっき鋼板等にて形成される板状部材である。より詳しく説明すると、このササラ桁３は、図２及び図４に示すように、踊り場８，８’の上面（地面又は土間の上面）に対する角度が例えば４０度となるように傾斜して配置される１対の側部３ａと、図３及び図５に示すように、１対の側部３ａの上端部及び下端部がそれぞれ側方（図３では、建物１０側の右側方、図５では、建物１０に面していない外部空間側の左側方）に垂直方向に折れ曲がるフランジ部３ｂと、を有する断面視コ字形状をなしている。なお、フランジ部３ｂには、図３に示すように、その下端部にアングル鋼等からなる水受け部４が、段板２とササラ桁３との接合部Ｓの下方に位置するように、取付部材３１を介して、取り付け固定されている。
【００２４】
水受け部４は、図３〜図５に示すように、段板２とササラ桁３との接合部Ｓ（図３参照）の下方に設けられ、接合部Ｓから下方に流出した雨水等の水（図３及び図５に示す矢印Ｙ１参照）を受ける受け部材である。この水受け部４は、例えば、アルミニウム押出型材等のアングル鋼等で形成されると共に、図４及び図５に示すように、ササラ桁３の側部３ａと平行となるように傾斜して配置され、例えば、踊り場８，８’の上面（地面又は土間の上面）に対する角度が４０度となるように傾斜して配置されている。より具体的に説明すると、この水受け部４は、図３（ｂ）に示すように、ササラ桁３の下端部のフランジ部３ｂの下面と間隔をあけて平行に配置される底部４ｂと、ササラ桁３の側部３ａの内側面と間隔をあけて平行に配置され、底部４ｂの内側の端部から垂直方向上側に折れ曲がり上方に延びる側部４ｃと、を有している。そして、この水受け部４は、図３（ｂ）に示すように、側部４ｃがササラ桁３の側部３ａの内側面と間隔があくように、底部４ｂの上面を、ササラ桁３の下端部のフランジ部３ｂの下面に取り付けられている取付部材３１の下面に密着させ、ビス３２により取付部材３１及び水受け部４の底部４ｂを、下側からササラ桁３の下端部のフランジ部３ｂに連結固定させている。これにより、水受け部４は、段板２とササラ桁３との接合部Ｓ（図３参照）の下方に設けられると共に、図４及び図５に示すように、ササラ桁３の側部３ａと平行となるように傾斜して配置されることとなる。しかるに、タイル６やタイル６の目地にヒビ等が入り、図３（ａ）に示すように、段板２とササラ桁３との接合部Ｓの隙間から雨水等の水が矢印Ｙ１方向に流出した際、上記のように配置される水受け部４の底部４ｂにて、その流出した雨水等の水を受けることができる。これにより、段板２とササラ桁３との接合部Ｓの隙間から流出した雨水等の水がそのまま階下に落下することがないため、漏水となる事態を低減させることができる。
【００２５】
なお、取付部材３１の内側（図３（ｂ）左側）の端部付近の下面と、水受け部４の底部４ｂの上面と、の間には、エチレン−プロピレン−ジエンゴム（ＥＰＤＭ）製のシーリングテープ等からなる止水部材３３が挟着固定されている。これにより、水受け部４の底部４ｂにて受けた雨水等の水が、図３（ｂ）に示す底部４ｂの上面と取付部材３１の下面との僅かな隙間に侵入する事態を防止することができる。すなわち、止水部材３３を設けていなければ、水受け部４の底部４ｂにて受けた雨水等の水が、図３（ｂ）に示す底部４ｂの上面と取付部材３１の下面との僅かな隙間に侵入し、ビス３２を伝って、階下に落下する可能性がある。それゆえ、取付部材３１の内側（図３（ｂ）左側）の端部付近の下面と、水受け部４の底部４ｂの上面と、の間に止水部材３３を挟着固定することによって、図３（ｂ）に示す底部４ｂの上面と取付部材３１の下面との僅かな隙間に水受け部４の底部４ｂにて受けた雨水等の水が侵入する事態を防止することができ、もって、漏水となる事態を低減させることができる。
【００２６】
なおまた、図３（ｂ）に示すように、水受け部４の底部４ｂの下面には、軒天見切り３４がビス３５により下側から取り付け固定され、この軒天見切り３４には、軒天パネル７が取り付け固定されている。
【００２７】
ところで、水受け部４の底部４ｂにて受けた雨水等の水は、水受け部４が図４及び図５に示すように、ササラ桁３の側部３ａと平行となるように傾斜して配置されているから、図４及び図５に示すように、矢印Ｙ２方向に流出することとなる。そして、矢印Ｙ２方向に流出した雨水等の水は、図５に示すように、水受け部４の下端部４ａに接続された排水部５の底部５ｂに流出し、排水部５の側端部５ａからササラ桁３の側方（矢印Ｙ３方向参照）へ排水されることとなる。
【００２８】
この点、より詳しく説明すると、排水部５は、アルミニウム押出型材等のアングル鋼等にて形成され、図４及び図５に示すように、水受け部４と直交するように水平に配置されている。そして、この排水部５は、水受け部４の下端部４ａにおいて、側端部５ａと、上面が水受け部４の底部４ｂの下面と接触するように配置される底部５ｂと、後面が水受け部４の底部４ｂ及び側部４ｃの前端面と接触するように配置され、底部５ｂの下側の前端部から垂直方向上側に折れ曲がり上方に延びる下部５ｃと、を有している。なお、側端部５ａと底部５ｂと下部５ｃは一体的に設けられている。
【００２９】
ところで、この側端部５ａは、ササラ桁３の側方（図５に示す矢印Ｙ３方向参照）から突出し、一端部（図５では、左側）が開放されている。これにより、図４に示す矢印Ｙ２方向に流出した雨水等の水は、図５に示すように、水受け部４の下端部４ａに接続された排水部５の底部５ｂに流出し、排水部５の側端部５ａからササラ桁３の側方（矢印Ｙ３方向参照）へ排水されることとなる。しかして、このようにすれば、段板２とササラ桁３との接合部Ｓから下方に流出した雨水等の水を階下に落下させることなく、排水することができる。なお、図４（ｂ）に示すように、排水部５の底部５ｂが、ビス４１により下側から水受け部４の底部４ｂに連結固定されることにより、水受け部４の下端部４ａに排水部５が接続されることとなる。
【００３０】
なおまた、水受け部４の底部４ｂの下面には、排水部５の底部５ｂに隣接するように、軒天見切り４２がビス（図示せず）により下側から取り付け固定され、この軒天見切り４２には、軒天パネル７の下端部が取り付け固定されている。
【００３１】
しかして、以上説明した本実施形態によれば、段板２とササラ桁３との接合部Ｓの下方に接合部Ｓから流出した雨水等の水を受ける水受け部４を設けているから、段板２の上面にタイル６を敷設した際、タイル６やタイル６の目地にヒビ等が入り、段板２とササラ桁３との接合部Ｓの隙間から雨水等の水が流出したとしても、その水を水受け部４によって受けることができる。これにより、段板２とササラ桁３との接合部Ｓから流出した雨水等の水が階下に落下してしまう事態を低減させることができ、もって、漏水を低減させることができる。
【００３２】
さらに、水受け部４の下端部４ａに接続され、水受け部４の下端部４ａから流出した雨水等の水をササラ桁３の側方に排水する排水部５を設けているから、水受け部４にて受けた雨水等の水が、排水部５によってササラ桁３の側方に排水されることとなる。これにより、段板２とササラ桁３との接合部Ｓから下方に流出した雨水等の水を階下に落下させることなく、排水させることができ、もって、漏水をさらに低減させることができる。
【００３３】
一方、図６に示す連結部２ｃと上段側の蹴込部２ｂ’との間の隙間に流出した雨水等の水が、毛細管現象によって、上方の傾斜部２ｄと上段側の蹴込部２ｂ’との間の隙間乃至外部空間に流出した際、水受け部４によってその水を受けることができるため、その水が階下に落下し、もって、漏水となる事態をより低減させることができる。
【００３４】
なお、本実施形態において示した形状等はあくまで一例であり、特許請求の範囲に記載された本発明の要旨の範囲内において、種々の変形・変更が可能である。例えば、本実施形態においては、階段１として、建物１０の外部に設けられた外階段を例にして説明したが、それに限らず、建物１０の内部に設けられた内階段にも適用可能である。また階段１として、金属製のものを例示したが、これに限らず、例えば、コンクリート製、石製、木製等のものであってもよい。また、本実施形態においては、階段１として、折り返し階段を例示したが、これに限らず、例えば、かね折れ階段、廻り階段、直階段等であってもよい。なお、階段１が直階段である場合には、踊り場８を設けるもの、踊り場８を設けないものであってもよい。
【００３５】
一方、本実施形態においては、段板２の上面にタイル６を敷設した例を示したが、タイルに限らず、防水シート等、段板２の上面に敷設されるものはどのようものでも良い。
【００３６】
他方、本実施形態においては、段板２及びササラ桁３として、溶融亜鉛−アルミニウム−マグネシウム合金めっき鋼板等の高耐食性溶融めっき鋼板からなるものを例示したが、これに限らず、例えば、他の耐食性を有するめっき処理を施した鋼板からなるものであってもよい。
【００３７】
また、本実施形態においては、水受け部４及び排水部５として、アングル鋼（山形鋼、Ｌ字形鋼）を例示したが、これに限らず、例えば、チャンネル鋼（溝形鋼、コ字形鋼）、Ｕ字形鋼、Ｖ字形鋼、Ｈ字形鋼等であってもよい。
【００３８】
さらにまた、本実施形態においては、排水部５の側端部５ａの一端部が開放しているものを例示したが、これに限らず、例えば、側端部５ａを竪樋又は竪樋に接続される他の横樋に接続し、雨水等の水を、竪樋を介して、地面又は土間に設けられた排水溝に排水するようにしてもよい。
【００３９】
さらにまた、本実施形態においては、排水部５は、水平に配置され、側端部５ａの一端部が開放しているものを例示したが、これに限らず、例えば、建物１０に向かって下方に傾斜するように配置するものであってもよく、あるいは、建物１０に面していない外部空間側の側端部５ａを閉塞する蓋部材を設けるものであってもよい。この場合には、雨水等の水が、排水部５の側端部５ａから建物１０に向かって排水され、建物１０の壁面に沿って下方に排水されこととなるから、雨水等の水の飛散を低減することができ、もって、漏水となる事態をより低減させることができる。
【符号の説明】
【００４０】
１          階段
２          段板
２ａ        踏板部
２ｂ        蹴込部
２ｂ’      上段側の蹴込部
２ｃ        連結部
２ｄ        傾斜部
３          ササラ桁（桁板）
４          水受け部
４ａ        下端部
５          排水部
６          タイル
１０        建物
Ｓ          接合部
【図１】
2019044526.tif 000003
【図２】
2019044526.tif 000004
【図３】
2019044526.tif 000005
【図４】
2019044526.tif 000006
【図５】
2019044526.tif 000007
【図６】
2019044526.tif 000008